(57)【要約】  胴体２と電気モータと電気スイッチとロッキングアームとを具備するハンマドリル、特にチッパであって：前記胴体２は、少なくとも一つのサポートハンドル４を有していて；前記電気モータは、胴体（２）の内部に取りつけられており；前記電気スイッチは、前記電気モータを作動又は停止するために前記電気スイッチに接続されたトリガボタン８によりスイッチを入れたり切ったりすることができるようになっていて、前記トリガボタン８は前記電気スイッチ２２が切られている第一位置と、前記電気スイッチが入っている第二位置との間で可動になっており；前記ロッキングアームは、前記電気スイッチ２２に可動に取り付けられていて、前記トリガボタン８がその第二位置に位置している場合、前記ロッキングアームは、前記トリガボタン８から係合解除されている第一位置と、前記トリガボタン８に係合しそして前記トリガボタン８をその第二位置に保持する、第二位置との間で可動になっている。前記ロッキングアームがその第二位置にある場合、操作員がトリガボタンから指をはずしても、ハンマドリルは電気スイッチが入ったままになっている。
2008513226.tif 000002
【特許請求の範囲】
【請求項１】
胴体２と電気モータと電気スイッチ２２とロッキングアーム３８とを具備するハンマドリルであって：
前記胴体２は、少なくとも一つのサポートハンドル４を有していて；
前記電気モータは、胴体（２）の内部に取り付けられており；
前記電気スイッチは、前記電気モータを作動又は停止するために前記電気スイッチに接続されたトリガボタン８によりスイッチを入れたり切ったりすることができるようになっていて、前記トリガボタン８は前記電気スイッチ２２が切られている第一位置と、前記電気スイッチが入っている第二位置との間で可動になっており；
前記ロッキングアーム３８は、前記電気スイッチ２２に可動に取り付けられていて、前記トリガボタン８がその第二位置に位置している場合、前記ロッキングアームは、前記トリガボタン８から係合解除されている第一位置と、前記トリガボタン８に係合しそして前記トリガボタン８をその第二位置に保持する、第二位置との間で可動になっている；
ハンマドリル。
【請求項２】
前記トリガボタン８は、その第一位置と第二位置との間で移動する場合、前記電気スイッチへ向かって又は離間するように直線的にスライドする、請求項１に記載のハンマドリル。
【請求項３】
前記トリガボタン８はその第一位置へ向けて付勢されている、請求項１又は２に記載のハンマドリル。
【請求項４】
前記ロッキングアーム３８がその第一位置へ付勢されている、請求項１〜３のいずれか一項に記載のハンマドリル。
【請求項５】
前記トリガボタンがその第一位置にある場合、前記ロッキングアームはその第一位置に保持されていて、その第二位置へ移動することを防止されている、請求項１〜４のいずれか一項に記載のハンマドリル。
【請求項６】
前記トリガボタンがその第二位置にあって、そして前記ロッキングアームがその第二位置にある場合、前記トリガボタンをその第一位置へ向けるようになっている前記トリガボタンに作用される付勢力により、前記ロッキングアームはその第二位置に保持されていて、その第一位置から移動することを防止されている、請求項１〜５のいずれか一項に記載のハンマドリル。
【請求項７】
前記トリガボタン８に作用する前記付勢力に打ち勝つ外力が前記トリガボタン８に作用される場合、前記ロッキングアーム３８はその第一位置へ移動されるようになっている、請求項６に記載のハンマドリル。
【請求項８】
前記トリガボタン８は、その第二位置にある場合に前記ロッキングアーム３８の部分７２と係合する受け具６２を備えている、請求項１〜７のいずれか一項に記載のハンマドリル。
【請求項９】
前記ロッキングアーム３８は、回動可能に前記電気スイッチに取り付けられていて、その第一位置と第二位置との間で回動するようになっている、請求項１〜８のいずれか一項に記載のハンマドリル。
【請求項１０】
さらにロックオン作動装置１０を備えていて；前記ロックオン作動装置１０は、前記胴体２又は前記サポートハンドル４の中で直線的にスライド可能に取り付けられ、そして前記ロックオン作動装置は前記ロッキングアーム３８に係合していて、前記ロックオン作動装置の直線的なスライド運動が前記ロッキングアームの回動運動をもたらすようになっている、請求項９に記載のハンマドリル。
【請求項１１】
前記ロッキングアーム３８の回動軸４２は、前記ロックオン作動装置がスライドする方向に直交している、請求項１０に記載のハンマドリル。
【発明の詳細な説明】
【技術分野】
【０００１】
本発明はハンマドリル、とくにチッパ（chipper）に関する。
【背景技術】
【０００２】
チッパは石のような工作物を切削加工するために使用される動力工具である。そのようなチッパは電力供給網又はバッテリから給電されている電気モータである。一般にチゼルの形状をしている工具ビットは、チッパの前方に設置された工具ホルダに取り付けられている。工具ホルダは工具ビットの回転を防止するようになっている。しかしながら、工具ビットは工具ホルダにおいて所定の移動範囲で軸方向にスライドできるようになっている。
【０００３】
電気モータは、一般にチッパの胴体に接続されハンドルに取り付けられているトリガを押し下げることにより作動される。電気モータは、従来のようにチッパ内部に取り付けられた、歯車を介してのストライカと、回転を直線運動に変換する機構と、クランク又はウォブルベアリングと、一般にピストン、シリンダ及びラムの形状をしている空気ばねとを、往復運動させるようになっている。ストライカは、工具ホルダ内に設置されたドリルビットの端部を繰り返し打撃し、工具ビットを繰返し前方に駆動するようになっている。使用時、工具ビットの切削チップが加工する工作物に対して置かれる。ストライカが工具ホルダ内で工具ビットの端部を繰返し打撃し、工具ビットが工作物において切削加工するようになっている。
【発明の開示】
【発明が解決しようとする課題】
【０００４】
望ましくは、チッパは二つの操作モードで作動されることのできるものである。
【０００５】
第一操作モードは、操作員がトリガボタン８を押し下げてモータを作動させることである。操作員はトリガボタン８を押し下げるとチッパを使用することができる。電気モータの作動を継続するために、操作員は指を用いてトリガボタン８を押し下げ続けなければならない。トリガボタンが解除されると、電気モータは停止され、そしてチッパのスイッチが切られる。
【０００６】
第二操作モードにおいて、チッパは“ロックオン（lock on）”することができる。このことは以下のことを意味している。トリガボタン８が押しさげられ、そして電気モータが作動されると、チッパは、操作員がトリガボタン８を解除した場合でも電気モータは作動し続けるように、“ロックオン”することができる。このことは、チッパが作動している場合に、操作員がチッパを別の場所に支持するために、手をチッパの胴体２及び後方サポートハンドル４周囲に移動することを可能にしている。操作員がチッパを停止しようとする場合、“ロックオン”は切られ、トリガボタン８が解除された場合、電気モータを停止することができる。
【課題を解決するための手段】
【０００７】
従って胴体２と電気モータと電気スイッチとロッキングアームとを具備するハンマドリルが提供されていて：
前記胴体は、少なくとも一つのサポートハンドルを有していて；
前記電気モータは、胴体の内部に取り付けられており；
前記電気スイッチは、前記電気モータを作動又は停止するために前記電気スイッチに接続されたトリガボタンによりスイッチを入れたり切ったりすることができるようになっていて、前記トリガボタンは前記電気スイッチが切られている第一位置と、前記電気スイッチが入っている第二位置との間で可動になっており；
前記ロッキングアームは、前記電気スイッチに可動に取り付けられていて、前記トリガボタンがその第二位置に位置している場合、前記ロッキングアームは、前記トリガボタンから係合解除されている第一位置と、前記トリガボタンに係合しそして前記トリガボタンをその第二位置に保持する、第二位置との間で可動になっている；
ハンマドリル。
【０００８】
以下に説明する実施形態は、チッパに関するものであるけれども、いずれのタイプのハンマドリルにも適用できることが、当業者においては理解できるであろう。
【０００９】
添付図面を参照して、本発明の実施形態を説明する。
【発明を実施するための最良の形態】
【００１０】
図１，２において、チッパは胴体２を備えていて、後方サポートハンドル４が胴体の後方に取り付けられている。電気モータ（図示せず）が胴体内部に取り付けられている。電気モータは電力供給網（図示せず）により給電されている。
【００１１】
工具ホルダ６がチッパの胴体２の前方に取り付けられている。チゼル（chisel）（図示せず）は工具ホルダ６に取り付けることができる。工具ホルダはチゼルが回転することを防止している。しかしながら、チゼルは工具ホルダ６内部において所定の移動範囲で軸方向にスライド可能である。
【００１２】
電気モータは後方サポートハンドル４の内部に取り付けられたトリガボタン８を押し下げることにより作動される。電気モータは、歯車（図示せず）を介してストライカ（striker）（図示せず）と、ウォブルベアリング（wobble bearing）と、ピストン、シリンダ及びラム（図示せず）形状の空気ばねとを従来の方法で往復運動させるようになっていて、それらはチッパの胴体２の内部に取り付けられている。ストライカは工具ホルダ６内部に設置されたチゼルの端部を繰返し打撃し、チゼルを繰返し前方に駆動するようになっている。使用時、チゼルの切削刃が加工する工作物に対して位置決めされる。ストライカが工具ホルダ６内部のチゼルの端部を繰返し打撃し、チゼルビットが工作物を削ずるようになっている。
【００１３】
チッパは二つの操作モードにより操作される。
【００１４】
第一操作モードは、操作員がトリガボタン８を押し下げてモータを作動させることである。操作員はトリガボタン８を押し下げるとチッパを使用することができる。電気モータの作動を継続するために、操作員は指を用いてトリガボタン８を押し下げ続けなければならない。トリガボタンが解除されると、電気モータは停止され、そしてチッパのスイッチが切られる。
【００１５】
第二操作モードにおいて、チッパは“ロックオン（lock on）”することができる。このことは以下のことを意味している。トリガボタン８が押しさげられ、そして電気モータが作動されると、チッパは、操作員がトリガボタン８を解除した場合でも電気モータは作動し続けるように、“ロックオン”することができる。このことは、チッパが作動している場合に、操作員がチッパを別の場所に支持するために、手をチッパの胴体２及び後方サポートハンドル４を周囲に移動することを可能にしている。操作員がチッパを停止しようとする場合、“ロックオン”は切られ、トリガボタン８が解除された場合、電気モータを停止することができる。
【００１６】
“ロックオン”はスライド式“ロックオン”作動装置１０のスライド移動によりスイッチが入る。スライド式“ロックオン”作動装置はバーを備えていて、そのバーは後方サポートハンドル４の最上部区画１２に設置されていて、そして後方サポートハンドル４を形成している後方クラムシェルの側面を貫通して延伸している。バーの一方の端部１４が後方サポートハンドル４の一方の側面（図１に図示）に形成された穴を貫通して延伸していて、他方の端部１６は、後方サポートハンドル４の対向側面（図２に図示）に形成された第二の穴を貫通して延伸しており、バーの中央区画が後方サポートハンドル４の最上部区画１２内部にある場合、二つの端部１４，１６は外部から見ることができる。バーは、後方サポートハンドルの最上部区画１２の内部で後方サポートハンドル４の幅方向に第一位置から第二位置へ横切って軸方向にスライドし、続いて第一位置へもどることができるようになっていて、第一位置において一方の端部１４がチッパの一方の側面から十分に突出していて、第二位置において、他方の端部１６がチッパの他方の側面から十分に突出している。
【００１７】
図３〜１１を参照してチッパが“ロックオン”される機構を説明する。
【００１８】
図３において、後方サポートハンドルはプラスチック製のクラムシェル１８で作られている。図４に図示するように、電気スイッチ２２が後方サポートハンドル４の内部に取り付けられている。トリガボタン８が電気スイッチ２２に接続されている。トリガボタン８は円形断面の細長いロッド２４を介して電気スイッチ２２と接続している。細長いロッド２４はその軸方向に沿って所定の移動範囲で軸方向にスライドできるようになっている。トリガボタン８は押し下げられると後方サポートハンドル４の中へ移動し、細長いロッド２４をその軸方向に沿って移動させ、そして電気スイッチ２２の中へ押し込まれ、電気スイッチが電気的接続し電流が流れ電気モータが作動される。
【００１９】
図６は、トリガボタン８の後方へ接続している細長いロッド２４を図示している。図８は、トリガボタン８と円形断面の凹部２６との背面図であって、電気スイッチ２２から突出している細長いロッド２４の端部がその凹部２６に位置しそしてトリガボタン８と接続している。細長いロッドは、電気スイッチ２２におけるばね（図示せず）を介して胴体から外向きに最も外側の位置へ向けて付勢されている。細長いロッド２４が、ばねの付勢力により最も外側の位置に延伸すると、電気スイッチ２２が切れ、電流は流れなくなる。トリガボタン８を押し下げると、細長いロッド２４がばねの付勢力に抗して電気スイッチ２２の本体の中へ移動し電気スイッチ２２が入る。
【００２０】
スライド式“ロックオン”作動装置１０を以下に詳述する。
【００２１】
スライド式“ロックオン”作動装置（図１において符号１０で付番されている）が図４，５からわかるようにバーを備えていて、バーは中央区画２８と二つの端部１４，１６を有している。前述したように、バーは後方サポートハンドル４の最上部区画１２を貫通していて、二つの端部１４，１６は後方サポートハンドル４を形成しているクラムシェル１８に形成された穴を貫通して突出している。バーはクラムシェル１８において、穴を出入りして長手軸方向にスライドできるようになっている。
【００２２】
バーはサポートロッド３０を横断して取り付けられていて、バーの長手軸はサポートロッド３０にほぼ直交している。スライド式“ロックオン”作動装置１０が後方サポートハンドル４の最上部区画１２に取り付けられている場合、サポートロッド３０の長手軸とバーの長手軸とはほぼ水平である。図４，５に図示するように、バーは、一部がサポートロッド３０の全長に沿って取り付けられている。
【００２３】
バーとサポートロッド３０との移動は、長手軸にのみ沿ってスライドすることのできるバーにより制御されている。従って、サポートロッド３０は、クラムシェル１８内部において、幅方向に水平に左右にスライドすることができる。サポートロッド３０はバー２８のスライド移動量を制限している。
【００２４】
図示するように円板３２がサポートロッド３０の一方の端部に取り付けられている。円板３２はグリップとして備えられていて、チッパを組立てる人が、製造時にグリップを用いて“ロックオン”機構を保持することができる。工具を組立てる場合、円板は“ロックオン”機構の操作において何の機能も行なわない。
【００２５】
サポートロッド３０の円板３２が取り付けられた一方の端部に対向している他方の端部には、Ｕ字形凹部３６が形成されている。
【００２６】
スライド式“ロックオン”作動装置１０はバーと、Ｕ字形凹部及び円板を備えたサポートロッド３０とを有していて、プラスチックで一体構造に形成されている。
【００２７】
図面を参照して、付勢ばね４６を備えたピボットラッチ３８について説明する。
【００２８】
図６にピボットラッチを図示する。ピボットラッチは円形断面の中央ピボット台４０を備えていて、その長手軸４２周囲をピボットラッチ３８が回動するようになっている。
【００２９】
第一アーム４４が、ピボット台４０の長手軸４２にほぼ直交しているピボット台４０の第一側面から延伸している。コイルばね４６が第一アーム４４の側面に取り付けられていて、コイルばねの軸は、第一アーム４４の長手軸及びピボット台４０の長手軸とにほぼ直交して延伸している。
【００３０】
第二アーム４８が、ピボット台４０の他方の側面から第一アーム４４と反対方向に延伸している。第二アーム４８は第一アーム４４とほぼ平行な方向に延伸している。ドライブペグ５０が、第二アーム４８の端部に向かって、ピボット台４０から離間して、第二アーム４８の上面に取り付けられている。ドライブペグ５０はほぼ円形の断面であって、ピボット台４０の長手方向に平行な方向に延伸している。ラッチアーム５２は、第二アーム４８の端部に向かって、ピボット台４０から離間して第二アーム４８の下側に取り付けられている。ラッチアーム５２は、ドライブペグ５０と反対方向であるが平行に下向きに延伸している。
【００３１】
図７において、電気スイッチ２２の本体の最上部が円形断面の管状凹部５４を備えている。管状凹部５４の長手軸５６は水平である。
【００３２】
ピボット台４０の下側は電気スイッチ２２の管状凹部５４に位置していて、二つの軸４２，５６が同軸になるようになっている。ピボットラッチ３８は、電気スイッチ２２の管状凹部５４内部のピボット台４０の長手軸周囲で回動できるようになっている。図７に図示するように、第一アーム４４に取り付けられたコイルばね４６の自由端部は、電気スイッチ２２の本体の側面に取り付けられている。コイルばね４６は第一アーム４４の端部を電気スイッチ２２の本体の側面から引き離すように付勢している。
【００３３】
図４に図示するように、第二アーム４８の最上面に取り付けられたドライブペグ５０は、スライド式“ロックオン”作動装置のサポートロッド３０に形成されたＵ字形凹部３６に位置している。
【００３４】
操作員がスライド式“ロックオン”作動装置１０のバ−２８をスライドすると、スライド式“ロックオン”作動装置１０はクラムシェル１８内部を幅方向にスライドし、サポートロッド３０の端部に形成されたＵ字形凹部３６を左から右（又は右から左）に移動させるようになっている。このことが、図６に図示するように、Ｕ字形凹部３６に設置されているドライブペグ５０を左から右に移動し、ピボットラッチ３８をピボット台４０の長手軸４２周囲で回動させるようになっている。ピボットラッチ３８の移動が、電気スイッチ２２の本体におけるピボットラッチ３８の第一アーム４４の間に接続された、コイルばね４６の圧縮あるいは膨脹をもたらす。
【００３５】
ピボットラッチ３８は一体構造のプラスチックで作られている。
【００３６】
図８において、トリガボタン８は中空となっている。水平な柵６０が、トリガボタン８の約半分より上側に、トリガボタン８の内部の幅半分を横切って形成されている。受け具６２が柵６０の上面に形成されている。受け具６２は、トリガボタン８の内部に向かって延伸している細長いリッジ６４を備えている。第二のより小さなリッジ６６は細長いリッジ６４の一方の端部に隣接して形成されていて、細長いリッジ６４に直交して横方向に延伸している。チャンファ６８は、細長いリッジ６４の、より小さなリッジ６６が延伸している側の端部における隅に、より小さなリッジ６６が延伸している方向とは反対側に形成されている。より小さなリッジ６６と、細長いリッジ６２の前方端部との接続部分には凹部７０が形成されている。
【００３７】
図９において、止め具７２がラッチアーム５２の下端部に形成されている。ピボットラッチ３８が電気スイッチに取り付けられる場合、ラッチアーム５２がトリガボタン８の内壁面により形成されたトリガボタン８の内部スペース及び柵６０の中へ延伸する。ピボットラッチ３８がスライド式“ロックオン”作動装置１０のバーのスライド移動により回動され、ラッチアーム５２がトリガボタンの内部で回動する。トリガボタン８内部における止め具７２の高さは受け具６２の高さと同一であって、ラッチアーム５２の回動運動が止め具７２を受け具６２の側面に係合させるようになっている。
【００３８】
チッパが、電気スイッチ２２から最も離間した位置にあるトリガボタン８でスイッチを切られると、ラッチアーム５２が図８に図示するように受け具６２の右に位置され、受け具６２の細長いリッジ６４に関してより小さなリッジ６６と反対側に位置するようになっている。この位置において、“ロックオン”機構はスイッチを切られ、チッパは第一操作モードで作動されるだけである。操作員がバーをスライド移動することによりラッチアーム５２を回動させようとする場合、止め具７２が受け具の側面と係合し、ラッチアーム５２及びピボットラッチ３８の移動を防止するようになっている。このことが、スライド式“ロックオン”作動装置１０と、その一部を形成しているバーとのスライド移動を阻止している。従って、チッパは第二操作モード、すなわちチッパがスイッチを切られている場合の“ロックオン”モードを開始することが阻止される。
【００３９】
トリガボタン８が押し下げられると、トリガボタン８は受け具６２と共に電気スイッチ２２へ向かって移動する。しかしながら、ラッチアーム５２は、電気スイッチ２２に取り付けられているので静止したままである。従って、トリガボタン８におけるラッチアーム５２の相対位置が移動する。トリガボタンが完全に押し下げられると、受け具６２は電気スイッチ２２へ向かって移動し、ラッチアーム５２の止め具７２は受け具６２の前方端部周囲を通過することができる。この時点で、操作員はバー２８をスライド移動することができ、ピボットラッチ３８をばね４６の付勢力に抗して回動させ、ラッチアーム５２をトリガボタン８の内部において受け具の上端部周囲で回動させることができる。トリガボタン８が解除され、ラッチアーム５２がこの位置になると、止め具７２が受け具６２の凹部７０に位置し、従ってトリガボタン８がその反対側にもどることを防止している。止め具７２がこの位置にとどまる場合、トリガボタン８は内向きに保持され、従って、操作員が指をトリガボタン８から外ずしても電気スイッチは作動し続け、チッパの第二操作モードで作動は継続されるようになっている。ラッチアーム５２は、止め具７２が凹部７０に保持されているので、ばね４６の付勢力により後方へ回動することを阻止されている。
【００４０】
“ロックオン”を解除するために、操作員は、止め具７２を凹部７０から移動するトリガボタン８を押し下げる。このことが、図８に図示するように、ラッチアーム５２をばね４６の付勢力により受け具６２の最上部を横切って回動させ（もし、操作員がバーの移動を防止することによりそれが保持されていないなら）、そして受け具の右に位置させることを可能にしている。トリガボタン８を解除すると、トリガボタン８は移動し電気スイッチ２２を切るようになっている。
【図面の簡単な説明】
【００４１】
【図１】図１は、前方から見たハンマドリルの斜視図である。
【図２】図２は、後方から見たハンマドリルの斜視図である。
【図３】図３は、スライド式“ロックオン”アクティベータを備えたチッパの後方クラムシェルを図示している。
【図４】図４は、電気スイッチ、トリガボタン、回動ラッチ及びスライド式“ロックオン”アクティベータとを備えた前方クラムシェルを図示している。
【図５】図５は、トリガボタン、回動ラッチ及びスライド式“ロックオン”アクティベータが図示している。
【図６】図６は、トリガボタンと、付勢ばねを備えたピボットラッチを図示している。
【図７】図７は、電気スイッチとトリガボタンとを図示している。
【図８】図８は、受け具を備えたトリガボタンの内部を図示している。
【図９】図９は、スライド式“ロックオン”作動装置の下側を図示している。
【図１０】図１０は、トリガボタンの背面をスライド式“ロックオン”作動装置と共に図示している。
【図１１】図１１は、電気スイッチ、ピボットラッチ及びスライド式“ロックオン”作動装置とを備えた前方クラムシェルの一部を図示している。
【図１】
2008513226.tif 000003
【図２】
2008513226.tif 000004
【図３】
2008513226.tif 000005
【図４】
2008513226.tif 000006
【図５】
2008513226.tif 000007
【図６】
2008513226.tif 000008
【図７】
2008513226.tif 000009
【図８】
2008513226.tif 000010
【図９】
2008513226.tif 000011
【図１０】
2008513226.tif 000012
【図１１】
2008513226.tif 000013
【国際調査報告】
2008513226.tif 000014
2008513226.tif 000015
2008513226.tif 000016